(57)【要約】      （修正有）【課題】パチンコ機などの遊技機を備えた遊技場において、遊戯者が足を前方に伸ばすことができ、また、冬場では足を温めることができるといった優れた遊戯環境を供給する足下設備を提供する。【解決手段】パチンコ機などの遊技機３を多数背合わせ状に配置して構成され、複数の脚片４を介して床面Ｇ上に配置されることにより、床面Ｇとの間に解放空間部Ｓを形成する遊技機島２に付属して設けられるものであり、解放空間部Ｓに配置され、遊戯者Ｐが足Ｆを載せることのできる足置き部１０と、足置き部１０の近傍に設けられ、少なくとも、遊戯者Ｐの足Ｆに熱を供給する加熱装置２０とで構成する。【選択図】図１
2011000297.tif 000002
【特許請求の範囲】
【請求項１】
パチンコ機やスロット機などの遊技機（３）を多数背合わせ状に配置して構成され，複数の脚片（４）を介して床面（Ｇ）上に配置されることにより，前記床面との間に解放空間部（Ｓ）を形成する遊技機島（２）の足下設備であって、前記解放空間部に配置され，遊戯者（Ｐ）が足（Ｆ）を前方に伸ばして載せることのできる足置き部（１０）を備えることを特徴とする遊技機島用足下設備。
【請求項２】
パチンコ機やスロット機などの遊技機（３）を多数背合わせ状に配置して構成され，複数の脚片（４）を介して床面（Ｇ）上に配置されることにより，前記床面との間に解放空間部（Ｓ）を形成する遊技機島（２）の足下設備であって、前記解放空間部に配置され，遊戯者（Ｐ）が足（Ｆ）を前方に伸ばして載せることのできる足置き部（１０）と、前記足置き部の近傍に設けられ，少なくとも，前記遊戯者の足に熱を供給する加熱装置（２０）と、を備えることを特徴とする遊技機島用足下設備。
【請求項３】
パチンコ機やスロット機などの遊技機（３）を多数背合わせ状に配置して構成され，複数の脚片（４）を介して床面（Ｇ）上に配置されることにより，前記床面との間に解放空間部（Ｓ）を形成する遊技機島（２）の足下設備であって、前記解放空間部に配置され，遊戯者（Ｐ）が足（Ｆ）を載せることのできる足置き部（１０）と、前記足置き部の上方である前記遊技機島の下端部に設けられ，少なくとも，前記遊戯者の足に温熱を供給する加熱装置（２０）と、を備え、前記足置き部の少なくとも上面に保温層（１２）を設けたことを特徴とする遊技機島用足下設備。
【請求項４】
足置き部（１０）の少なくとも上面を、遊戯者Ｐに略対向する姿勢に傾斜させたことを特徴とする請求項１、２または３に記載の遊技機島用足下設備。
【請求項５】
足置き部（１０）の保温層（１２）を、毛織物で構成したことを特徴とする請求項３または４に記載の遊技機島用足下設備。
【発明の詳細な説明】
【技術分野】
【０００１】
本発明は、パチンコ機やスロット機などの遊技機を、複数、背合わせ状に設けて構成される遊技機島に付属して設けられ、必要に応じ遊戯者の足に温熱を供給するなどの機能を備えた足下設備に関するものである。
【背景技術】
【０００２】
従来から、パチンコ機やスロット機などの遊技機を備えた遊技場においては、通常、図７に示すように、遊戯者Ｐは遊技機島３０を構成する遊技機３１の前に備え付けられた椅子Ｃに座って当該遊技機３１を楽しむことができるようにしている。
【０００３】
こうした従来の遊技場においては、遊戯者Ｐは椅子Ｃに座った楽な姿勢で遊技機３１を楽しむことができるので、例えば、立ったままの場合と比較して、長時間にわたって遊技機３１を楽しむことができる。
【発明の概要】
【発明が解決しようとする課題】
【０００４】
しかし、こうした従来の遊技機等３０にあっては解決すべき問題がある。すなわち、遊戯者Ｐは椅子Ｃに座った状態で遊技機３１を楽しむが、その際、遊技機３１の直下に床面Ｇまで達する状態で設けられているボックス体３２の存在によって、足Ｆを前方に伸ばすことができない。従って、足Ｆを組んだり、また左右横方向に投げ出したりするが、前方に伸ばせないため、足Ｆや身体が疲れ易い。こうした遊戯環境下では、例えば、遊技機３１を長時間にわたって楽しむことができ難い。
【０００５】
また、遊技場内には空調システムが完備しているため、例えば、冬場においては、遊戯者Ｐが寒さを感じない温度に設定されている。しかし、遊技場内においても暖気は高所に移動し、冷気が低所に移動するので、顔や頭は場内の空調設備で暑いが、足Ｆや身体が冷たくなり易い。こうした遊戯環境も改善の余地がある。
【０００６】
本発明はこうした問題に鑑み創案されたもので、パチンコ機などの遊技機を備えた遊技場において、遊戯者が足を前方に伸ばすことができ、また、例えば、冬場では足や身体が冷えるのを防止することができるといった、より優れた遊戯環境を提供することのできる足下設備を提供することを課題とする。
【課題を解決するための手段】
【０００７】
図１乃至図６を参照して説明する。請求項１に記載の遊技機島用足下設備１は、パチンコ機やスロット機などの遊技機３を多数背合わせ状に配置して構成され、複数の脚片４を介して床面Ｇ上に配置されることにより、前記床面Ｇとの間に解放空間部Ｓを形成する遊技機島２に付属して設けられるものである。
【０００８】
この足下設備１は、前記解放空間部Ｓに配置され、遊戯者Ｐが足Ｆを前方に伸ばして載せることのできる足置き部１０を備える。
【０００９】
請求項２に記載の遊技機島用足下設備１は、パチンコ機やスロット機などの遊技機３を多数背合わせ状に配置して構成され、複数の脚片４を介して床面Ｇ上に配置されることにより、前記床面Ｇとの間に解放空間部Ｓを形成する遊技機島２に付属して設けられるものである。
【００１０】
この足下設備１は、前記解放空間部Ｓに配置され、遊戯者Ｐが足Ｆを前方に伸ばして載せることのできる足置き部１０と、前記足置き部１０の近傍に設けられ、少なくとも、前記遊戯者Ｐの足Ｆに熱を供給する加熱装置２０と、を備える。
【００１１】
請求項３に記載の遊技機島用足下設備１は、パチンコ機やスロット機などの遊技機３を多数背合わせ状に配置して構成され、複数の脚片４を介して床面Ｇ上に配置されることにより、前記床面Ｇとの間に解放空間部Ｓを形成する遊技機島２に付随して設けられるものである。
【００１２】
この足下設備１は、前記解放空間部Ｓに配置され、遊戯者Ｐが足Ｆを前方に伸ばして載せることのできる足置き部１０と、前記足置き部１０の上方である前記遊技機島２の下端部に設けられ、少なくとも、前記遊戯者Ｐの足Ｆに温熱を供給する加熱装置２０とを備える。また、前記足置き部１０の少なくとも上面に保温層１２を設けている。なお、この「保温層１２」には、毛、布、敷布、不敷布、湯水、ジェルなど、遊戯者Ｐの足Ｆを温めることのできるあらゆる材料を含む。
【００１３】
請求項４に記載の遊技機島用足下設備１は、請求項１乃至３に記載の発明において、足置き部１０の少なくとも上面を、遊戯者Ｐの足裏に略対向する姿勢に傾斜させたものである。
【００１４】
請求項５に記載の遊技機島用足下設備１は、請求項３または４に記載の発明において、足置き部１０の保温層１２を、毛織物で構成したものである。
【発明の効果】
【００１５】
請求項１に記載の遊技機島用足下設備１は、遊技機島２と床面Ｇとの間に形成された解放空間部Ｓに配置され、遊戯者Ｐが足Ｆを前方に伸ばして載せることのできる足置き部１０を備えているので、遊戯者Ｐは足Ｆを前方にまっすぐ伸ばすことができる。また、足Ｆを前方に伸ばした状態で足置き部１０に載せることができる。これにより、足Ｆの動きに自由度を与えることができるので、遊戯者Ｐの足Ｆおよび身体を疲れさせないといった優れた遊戯環境を提供することができる。その結果、例えば、遊戯者Ｐは、遊技機３を、より長時間楽しむことができる。
【００１６】
なお、靴を脱いた状態で、足Ｆを足置き部１０に載せることにより、足Ｆの疲れを効果的に癒すことができるので、これによっても優れた遊戯環境を提供することができる。
【００１７】
請求項２に記載の遊技機島用足下設備１は、遊技機島２と床面Ｇとの間に形成された解放空間部Ｓに配置され、遊戯者Ｐが足Ｆを載せることのできる足置き部１０を備えているので、請求項１に記載の発明と同様に、遊戯者Ｐの足Ｆや身体を疲れさせないといった優れた遊戯環境を提供することができる。
【００１８】
また、足置き部１０の近傍に、少なくとも遊戯者Ｐの足Ｆに熱を供給する加熱装置２０を備えているので、例えば、冬場において温熱が供給される場合には、足Ｆを効果的に温めることができる。これにより足Ｆと身体が温まり、遊戯者Ｐは優れた遊戯環境下で遊技機３を長時間楽しむことができる。
【００１９】
請求項３に記載の遊技機島用足下設備１は、解放空間部Ｓに配置され、遊戯者Ｐが足Ｆを載せることのできる足置き部１０と、足置き部１０の上方である遊技機島２の下端部に設けられ、少なくとも、遊戯者Ｐの足Ｆに温熱を供給する加熱装置２０とを備えるので、遊戯者Ｐは足Ｆを前方にまっすぐ伸ばすことができる。また、加熱装置２０の温熱によって足Ｆを温めることができる。そのため、遊戯者Ｐの足Ｆや身体を疲れさせないといった優れた遊戯環境を提供することができる。
【００２０】
また、足置き部１０の少なくとも上面に保温層１２を設けたので、遊戯者Ｐの足Ｆをさらに効果的に温めることができ、これによって、さらに優れた遊戯環境を提供することができる。
【００２１】
請求項４に記載の遊技機島用足下設備１は、請求項１乃至３に記載の発明と同様の効果を発揮する。また、足置き部１０の少なくとも上面を、遊戯者Ｐに略対向する姿勢に傾斜させたので、遊戯者Ｐは足Ｆの裏全面を足置き部１０に接した状態で楽に載せることができる。これにより、足Ｆや身体が疲れるのをさらに効果的に防止することができる。
【００２２】
請求項５に記載の遊技機島用足下設備１は、請求項３または４に記載の発明と同様の効果を発揮する。また、足置き部１０の保温層１２を毛織物で構成しているので、足Ｆを効果的に保温することができる。また、毛織物は肌触りが良いので、遊戯者Ｐにさらに心地よい遊戯環境を提供することができる。
【図面の簡単な説明】
【００２３】
【図１】本発明に係る遊技機島用足下設備の実施形態を示す正面図である。
【図２】図１に示す足下設備の側面図である。
【図３】図１に示す足下設備の要部拡大図である。
【図４】図１における足下設備の足置き部を示す正面断面図である。
【図５】図１における足下設備の他の態様を示す側面図である。
【図６】図１における足置き部の他の態様を示す要部拡大図である。
【図７】従来例に係る遊技機島を示す正面図である。
【発明を実施するための形態】
【００２４】
本発明に係る遊技機島用足下設備１の実施形態を、図１乃至図４に示す。なお、図３および図６における波線（符号Ｗ）は、熱の移動を示す。この足下設備１は遊技機島２に付属して設けたものである。この遊技機島２は、遊技機（パチンコ機）３を多数背合わせ状に配置して構成され、複数の脚片４を介して床面Ｇ上に配置している。これにより、遊技機島２の下面と床面Ｇとの間には解放空間部Ｓを形成している。なお、各遊技機３の前側には椅子Ｃが設けられ、遊戯者Ｐはこの椅子Ｃに座って遊技機３を楽しむ。
【００２５】
この足下設備１は、足置き部１０と加熱装置２０を備える。足置き部１０は、解放空間部Ｓ（床面Ｇの直上）に配置され、各遊戯者Ｐが足Ｆを前方に伸ばして載せることのできる大きさを有する。この足置き部１０は、木製、樹脂製または金属製で板状の本体部１１と、その上面を覆う保温層１２とで構成している。なお、本実施形態では、この保温層１２を毛織物（じゅうたん）を使用して形成している。なお、パチンコ機３から排出された玉は、解放空間部Ｓの直上に設けた搬送機（図示せず）によって、遊技機島２の端部に設けた揚送機（図示せず）に送られる。
【００２６】
また、本実施形態における足置き部１０は、遊戯者Ｐの足裏にほぼ対向する角度で、その姿勢を傾斜させている。この足置き部１０は、その傾斜角度を調整自在とすることもできる。なお、この遊技機島２は、一対の遊技機３を背合わせ状に配置しているので、それに対応して二つの足置き部１０を、連続的に山形状に形成している（図１、図３参照）。なお、この足置き部１０は、長手方向に沿って連続的な長板状としているが（図２参照）、これに代えて、各遊戯者用に独立した短板状とすることもできる（図５参照）。
【００２７】
加熱装置２０は、足置き部１０の上方である遊技機島２の下端部に取付けられ、遊戯者Ｐの足Ｆに温熱を供給する。この加熱装置２０は、例えば、温風を供給するもの（温風ヒーター）であっても良いし、また、温熱（輻射熱）を与えるもの（熱線ヒーター）であっても良い。
【００２８】
本実施形態に係る遊技機島用足下設備１にあっては、遊戯者Ｐは足Ｆを前方の解放空間部Ｓにまっすぐ伸ばすことができる。また、前方に伸ばした足Ｆを、足置き部１０に載せることができる。従って、遊技機３を長時間楽しむ場合でも、足Ｆや身体が疲れないといった優れた遊戯環境を提供することができる。なお、靴を脱いた状態で足Ｆを足置き部１０に載せることにより、足Ｆの疲れを癒すことができる。
【００２９】
また、加熱装置２０によって遊戯者Ｐの足Ｆに温熱を供給するので、遊戯者Ｐの足Ｆと身体を温めることができる。これにより、遊戯者Ｐは、例えば、より長い時間、遊技機３を楽しむことができる。
【００３０】
また、足置き部１０の上面に毛織物（保温層１２）を設けているので、遊戯者Ｐの足Ｆをさらに効果的に温めることができる。また、この毛織物は肌触りが良いので、遊戯者Ｐにさらに心地よい遊戯環境を提供することができる。
【００３１】
また、足置き部１０を、遊戯者Ｐにほぼ対向する姿勢に傾斜させているので、遊戯者Ｐは足Ｆを楽な姿勢で足置き部１０に載せることができ、足Ｆおよび身体の疲れをさらに効果的に防止することができる。
【００３２】
なお、本実施形態における加熱装置２０は遊技機島２の下端部に設けているが、本発明はこれに限定されない。従って、例えば、図６の実線で示すように、足置き部１０の下面に設けることもできるし、また、同図の想像線で示すように、足置き部１０に内蔵することもできる。
【００３３】
また、本実施形態ではパチンコ機で構成される遊技機島２を対象としているが、本発明はこれに限定されるものではなく、他の遊技機（例えば、スロット機）で構成される遊技機島にも適用することができる。
【００３４】
また、この加熱装置２０は足Ｆと共に、下半身にも熱を供給することのできる大きさおよび形態とすることができる。これによって遊戯者Ｐの身体をより効果的に温めることができるので、さらに良好な遊戯環境を提供することができる。
【００３５】
なお、上記実施形態に係る足下設備１は、足置き部１０と加熱装置２０とで構成しているが、本発明はこれに限定されず、足置き部１０のみで構成することもできる。
【符号の説明】
【００３６】
１        足下設備
２        遊技機島
３        遊技機
４        脚片
１０      足置き部
１１      本体部
１２      保温層
２０      加熱装置
３０      遊技機島
３１      遊技機
３２      ボックス体
Ｃ        椅子
Ｆ        足
Ｇ        床面
Ｐ        遊戯者
Ｓ        解放空間部
Ｗ        熱の移動
【図１】
2011000297.tif 000003
【図２】
2011000297.tif 000004
【図３】
2011000297.tif 000005
【図４】
2011000297.tif 000006
【図５】
2011000297.tif 000007
【図６】
2011000297.tif 000008
【図７】
2011000297.tif 000009